(57)【特許請求の範囲】
【請求項１】
第１の記憶媒体に記憶される音声及び画像データを再生する第１の再生手段と、
第２の記憶媒体に記憶される画像データを再生する第２の再生手段と、
上記第１或いは第２の再生手段により再生された画像データと、再生動作を実行させるため操作により入力されるべき指示内容を示す画像データとを出力する出力手段と、
上記第１の再生手段によって、予約された一曲の音声及び画像データの再生が終了する毎に、上記出力手段が上記第２の再生手段により再生された上記画像データ及び上記操作により入力されるべき指示内容を示す画像データを出力させ、上記入力されるべき指示内容に従い再生動作の実行が操作されたとき再生が終了した音声及び画像データの次の予約された一曲の音声及び画像データの再生を再開させる制御手段と、
を備える再生システム。
【請求項２】
更に、
上記出力手段が出力する画像データを表示する表示手段を備え、
上記制御手段は、上記第１の再生手段が予約された音声及び画像データの再生を終了する毎に、上記出力手段が上記第２の再生手段により再生された上記画像データ及び上記操作により入力されるべき指示内容を示す画像データとを出力するとともに上記表示手段が上記出力された画像データを表示するように制御する請求項１記載の再生システム。
【請求項３】
複数の上記第１の記憶媒体を収納する収納部と、
上記複数の第１の記憶媒体に記憶される音声及び画像データよりユーザ所望のデータを指示する指示手段とを備え、
上記第１の再生手段は、上記ユーザ所望のデータをＭＰＥＧ方式に従って復号し再生する
請求項１記載の再生システム。
【請求項４】
上記第２の記憶媒体はビデオディスクである請求項１記載の再生システム。
【請求項５】
第１の記憶媒体に記憶される音声及び画像データを再生するステップと、
上記再生された上記第１の記憶媒体に記憶される画像データを出力するステップと、
予約された一曲の音声及び画像データの再生の終了を判別するステップと、
上記予約された音声及び画像データの再生の終了が判別されたとき、第２の記憶媒体に記憶される画像データ及び再生動作を実行させるため操作により入力されるべき指示内容
を示す画像データを再生し出力させ、上記入力されるべき指示内容に従い再生動作の実行が操作されたとき再生が終了した音声及び画像データの次の予約された一曲の音声及び画像データの再生を再開させるステップと
を備える再生方法。
【発明の詳細な説明】
【０００１】
【発明の属する技術分野】
本発明は、例えばＣＤ（コンパクトディスク）と称されるデジタルデータ記録ディスクを使用したカラオケ再生機器に適用して好適な再生システム及び再生方法に関する。
【０００２】
【従来の技術】
従来、ＣＤ（コンパクトディスク）と称される直径１２ｃｍ程度の小型のデジタルデータ記録ディスクを使用したカラオケ再生機器（即ち曲の伴奏音の再生を行うと共にマイクから入力した音声をミキシングして再生させる機器）が各種開発されている。この場合、通常ＣＤと称されているものは、１枚のディスクに最大で７４分程度の音声データだけがメインのデジタルデータとして記録されているが、カラオケ再生機器においては歌詞などの映像を再生音声に合わせて表示させた方が便利である。このため、カラオケに使用されるＣＤの場合には、サブコードと称される付随的な記録エリアに、歌詞などを表示させる静止画の映像データを記録させたものがある。
【０００３】
これに対し、静止画像よりも動画の方が複雑な映像を表示できるので、ビデオディスクと称される比較的大型のディスク（例えば直径３０ｃｍ程度）を使用した映像記録用ディスクを使用したカラオケ再生機器が、各種実用化されている。ところが、ビデオディスクはその径が大きいので、保管のスペースが大きく、カラオケ機器の設置スペースに余裕がある場合にしか使用できない不都合があった。
【０００４】
これらの不都合を解決するために、ＩＳＯ（国際標準化機構）で標準化されたＭＰＥＧ１方式と称される符号化方式を適用して、小型のディスクに長時間の音声データと動画の映像データとを記録できるようにしたものが開発された。この方式による記録は、サブバンド分割，分割帯域毎のビット割当て等を行って、デジタル音声データを数分の１（例えば１／５）に圧縮して記録すると共に、この音声データと時分割で、ＤＣＴ等を使用して数十〜数百分の１に高能率圧縮されたデジタル動画データを記録するようにしたもので、例えばＣＤ（ＣＤ−ＲＯＭと称されるデジタルデータ記録ディスク）に適用することで、１枚のディスクに約７４分のデジタル音声データと動画のデジタル映像データとを記録することができる。
【０００５】
【発明が解決しようとする課題】
ところで、このようなＭＰＥＧ１方式と称される記録システムを適用したＣＤの場合には、付加情報で曲名などのデータが記録できるようになっている。このため、このシステムを適用したカラオケ再生機器の場合には、接続されたモニタ受像機や機器本体のディスプレイなどに曲名が表示できるようになっている。
【０００６】
ところが、従来のカラオケ再生機器の場合には、良好な曲名表示が行われてなかった。即ち、例えば再生機器に設けた曲名表示スイッチを操作して、モニタ受像機の画面の映像を、ディスクから再生した動画の表示から曲名の表示に切換えさせることが考えられるが、このようにスイッチを操作するのは手間がかかると共に、曲名の表示中にはディスクから再生している動画の表示が途切れてしまう不都合があった。このため、ディスクから再生して表示させている動画に、スーパーインポーズで曲名を表示させることも考えられるが、この場合には曲名のスーパーインポーズで動画が見にくくなってしまう。
【０００７】
本発明はこのような課題を考慮してなされたものであり、この種の再生システムにおいて、良好に曲名などの表示ができるようにすることを目的とする。
【０００８】
【課題を解決するための手段】
本発明の再生システムは、第１の記憶媒体に記憶される音声及び画像データを再生する第１の再生手段と、第２の記憶媒体に記憶される画像データを再生する第２の再生手段と、第１或いは第２の再生手段により再生された画像データと、再生動作を実行させるため操作により入力されるべき指示内容を示す画像データとを出力する出力手段と、第１の再生手段によって、予約された一曲の音声及び画像データの再生が終了する毎に、出力手段が第２の再生手段により再生された画像データ及び上記操作により入力されるべき指示内容を示す画像データを出力させ、入力されるべき指示内容に従い再生動作の実行が操作されたとき再生が終了した音声及び画像データの次の予約された一曲の音声及び画像データの再生を再開させる制御手段とを備えるものである。
【０００９】
また本発明の再生方法は、第１の記憶媒体に記憶される音声及び画像データを再生するステップと、再生された第１の記憶媒体に記憶される画像データを出力するステップと、予約された一曲の音声及び画像データの再生の終了を判別するステップと、予約された音声及び画像データの再生の終了が判別されたとき、第２の記憶媒体に記憶される画像データ及び再生動作を実行させるため操作により入力されるべき指示内容を示す画像データを再生し出力させ、入力されるべき指示内容に従い再生動作の実行が操作されたとき再生が終了した音声及び画像データの次の予約された一曲の音声及び画像データの再生を再開させるステップを備えるものである。
【００１０】
【発明の実施の形態】
以下、本発明の一実施の形態を、添付図面を参照して説明する。
【００１１】
まず、図２に本例の音声・映像再生システムの全体構成を示す。本例においては、ＭＰＥＧ１方式と称される符号化方式により符号化された音声データと映像データ（動画）とが記録された光ディスク（ＣＤ−Ｒ０Ｍ）より音声と映像の再生を行うシステムで、カラオケ装置として構成されている。即ち、図中１０はオートチェンジャを示し、このオートチェンジャ１０内には複数枚（例えば３６０枚）の光ディスク１１が収納されると共に、２台のＣＤ再生部１２が配置され、ディスク搬送機構１３により任意の光ディスク１１がＣＤ再生部１２に装填できるようにしてある。
【００１２】
そして、オートチェンジャ１０の上には、この再生データ処理装置２０が載せられている。この再生データ処理装置２０は、オートチェンジャ１０側のＣＤ再生部１２やディスク搬送機構１３の動作制御を行うと共に、ＣＤ再生部１２から再生したデジタルデータを復調処理してアナログ音声信号及びアナログ映像信号とし、このアナログ音声信号に増幅処理等を行ってから左右のスピーカ５１Ｌ，５１Ｒに供給して再生させる。また、再生して得たアナログ映像信号をモニタ受像機５１に供給し、このモニタ受像機５１の画面に表示させる。
【００１３】
また、再生データ処理装置２０の前面には、再生させる曲の番号の入力や再生操作などを行うタッチキー１ａ，再生音量を調整する音量調整用ボリューム１ｂ，再生速度を調整する速度調整用ボリューム１ｃ等の各種操作キー（以下これらのキーを総称して操作キー１とする）が配置されていると共に、再生中の曲の番号や再生状態などを表示する表示パネル２が配置されている。
【００１４】
さらに、再生データ処理装置２０の前面に複数のマイク接続端子３が設けられ、それぞれのマイク接続端子３に接続されたマイク５３が拾った音声を、スピーカ５１Ｌ，５１Ｒから再生させる音声にミキシングできるようにしてある。
【００１５】
なお、本例の光ディスク１１には、音声データと動画の映像データの他に、これらのデータに付随して記録されるサブコードで、記録された曲の曲名のデータなどが記録させてあり、再生データ処理装置２０内の後述するコントローラの制御に基づいて、所定時にモニタ受像機５１の画面に再生する曲名などを表示できるようにしてある。
【００１６】
次に、図１を参照して、再生データ処理装置２０を中心とした再生システムの回路ブロックの構成を説明すると、オートチェンジャ１０内のＣＤ再生部１２での光ディスク１１の再生は、再生データ処理装置２０内のシステムコントローラ２１の制御で行われる。このシステムコントローラ２１には、複数の操作キー１が接続してあり、操作キー１の操作に基づいて再生制御が行われる。この場合、所定のキーの操作で、再生させる曲の予約動作が９曲まで出来るようにしてあり、予約された曲のデータがシステムコントローラ２１内のメモリ（図示せず）に記憶される。また、表示パネル２での再生中の曲番などの表示も、システムコントローラ２１の制御に基づいて再生制御に連動して行われる。
【００１７】
そして、このオートチェンジャ１０内のＣＤ再生部１２で再生したデジタルデータを、再生データ処理装置２０内のＥＦＭ復調回路２２に供給し、８−１４変調（ＥＦＭ）されてディスクに記録されたデータの復調を行う。そして、復調されたデジタルデータを、ＣＤ−ＲＯＭ処理回路２３に供給し、ＣＤ−ＲＯＭのフォーマットに従って記録されたデータの抽出処理を行う。この抽出処理は、後述する第１の中央制御装置２９の制御に基づいて行われる。
【００１８】
そして、再生データより抽出された音声データを、音声復調回路２４に供給する。この音声復調回路２４では、ＭＰＥＧ１方式により符号化された音声データの復調を行うと共に、この復調された音声データをアナログ音声信号に変換する処理が行われる。そして、この音声復調回路２４が出力するアナログ音声信号を、音声処理回路２５に供給し、この音声処理回路２５で増幅などの出力用の処理を行う。また、この音声処理回路２５には、マイク接続端子３からの音声信号が供給され、マイク接続端子３に接続されたマイク５３（図２参照）から供給される音声信号をミキシングする処理が行われる。そして、この音声処理回路２５で処理された音声信号を、左右の音声信号出力端子６Ｌ，６Ｒに供給する。そして、この出力端子６Ｌ，６Ｒに接続された左右のスピーカ５１Ｌ，５１Ｒから音声を再生させる。この音声復調回路２４及び音声処理回路２５での音声処理は、後述する第１の中央制御装置２９の制御に基づいて行われる。
【００１９】
また、ＣＤ−ＲＯＭ処理回路２３で再生データより抽出された映像データを、映像復調回路２６に供給する。この映像復調回路２６では、ＭＰＥＧ１方式により符号化された映像データの復調を行う。この場合、映像復調回路２６は少なくとも３個のフレームメモリを備え、ＭＰＥＧ１方式に基づいた動画の映像の復調に必要な過去のフレームの映像データの参照等が、このフレームメモリを使用して行われる。この映像復調回路２６での映像処理は、後述する第１の中央制御装置２９の制御に基づいて行われる。
【００２０】
そして、映像復調回路２６で復調された映像データを、ＮＴＳＣ処理回路２７に供給し、ＮＴＳＣ方式に適合した複合映像信号（以下単に映像信号と称する）とする処理を行い、この複合映像信号を切換スイッチ３０の第１の固定接点３１に供給する。また、後述するＮＴＳＣ処理回路４５が出力する映像信号を、切換スイッチ３０の第２の固定接点３２に供給する。
【００２１】
また、この再生データ処理装置２０は、外部映像入力端子４を備え、必要に応じてテレビジョンチューナなどの映像信号源が接続され、この入力端子４に得られる映像信号を、切換スイッチ３０の第３の固定接点３３に供給する。さらに、この再生データ処理装置２０には、ビデオディスク再生装置５が接続してあり、このビデオディスク再生装置５でビデオディスクから再生して得た映像信号を、切換スイッチ３０の第４の固定接点３４に供給する。なお、ビデオディスク再生装置５は必要に応じて用意されるもので、この再生装置５でのビデオディスクからの再生は、再生データ処理装置２０内のシステムコントローラ２１の制御に基づいて行われる。
【００２２】
そして、切換スイッチ３０の可動接点３５に得られる映像信号を、映像信号出力端子７に供給し、この出力端子７に接続されたモニタ受像機５２（図２参照）に供給して映像を表示させる。
【００２３】
また、ＣＤ−ＲＯＭ処理回路２３で再生データより抽出した付加情報を付加情報処理回路２８に供給し、この付加情報処理回路２８での処理で復調された付加情報を、第１の中央制御装置２９に供給する。この第１の中央制御装置２９は、ディスクから再生されたデータ処理の制御を行うマイクロコンピュータである。また、上述した切換スイッチ３０の切換えも、この第１の中央制御装置２９の制御により行われる。
【００２４】
そして、本例の再生データ処理装置２０は、この第１の中央制御装置２９とは別の第２の中央制御装置４１を備え、この第２の中央制御装置４１の制御に基づいて予約された曲名や動作状態などを表示させる予約画面の映像データを作成するようにしてある。この第２の中央制御装置４１での映像データ作成制御は、システムコントローラ２１の制御に基づいて行われ、付加情報処理回路２８から第１の中央制御装置２９に供給された付加情報に含まれる曲名とその番号の情報が、第２の中央制御装置４１に供給するようにしてある。
【００２５】
そして、第２の中央制御装置４１には、ＲＯＭ４２とＲＡＭ４３とが接続され、ＲＯＭ４２にはオートチェンジャ１０内に配されたディスク１１の曲名及び曲番のデータが予め記憶させてあり、ＲＡＭ４３には所定の読取り動作で各ディスク１１から再生して得た曲名及び曲番のデータを記憶させるようにしてある。なお、本例の場合にはＲＡＭ４３としてフラッシュメモリが使用され、バックアップ電源がなくてもメモリ内に記憶データが残るようにしてある。
【００２６】
そして、第２の中央制御装置４１にはビデオプロセッサ４４が接続され、ＲＯＭ４２やＲＡＭ４３に記憶された曲名や曲番のデータと、システムコントローラ２１から供給される現在の動作状態や予約状態のデータとを使用して、ビデオプロセッサ４４で予約画面の映像データを作成させる。この場合、ビデオプロセッサ４４には、文字，数字，図形などの表示データを記憶したキャラクタジェネレータが内蔵され、このキャラクタジェネレータに記憶されたデータを使用して表示させるための映像データを作成する。
【００２７】
そして、ビデオプロセッサ４４で作成された予約画面の映像データを、ＮＴＳＣ処理回路４５に供給してＮＴＳＣ方式の映像信号とし、この映像信号を切換スイッチ３０の第２の固定接点３２に供給すると共に、映像信号出力端子８に供給する。この映像信号出力端子８は、図２に示したモニタ受像機５２とは別の予約表示専用のモニタ受像機（図示せず）が接続される。但し、この予約表示専用のモニタ受像機は、必要に応じて用意すれば良い。
【００２８】
次に、このように構成される再生システムを使用して、再生を行うときの動作について、図３のフローチャートを参照して説明する。
【００２９】
まず、システムコントローラ２１は再生することを予約された曲があるか否か判断し（ステップ１０１）、予約された曲がない場合には、予約を受け付けていることを示す表示画面を第２の中央制御装置４１の制御で作成させ、ＮＴＳＣ処理回路４５から出力させると共に、切換スイッチ３０の可動接点３５を第２の固定接点３２と接続させ、モニタ受像機５２にこの予約受付画面を表示させる（ステップ１０２）。
【００３０】
このときに表示される予約受付画面としては、例えば図４に示すように、９曲分の予約曲の表示エリアが設定され、曲番を入力させる予約操作を行うことで、その番号に対応した曲名のデータがＲＯＭ４２及びＲＡＭ４３の記憶データから探されて、曲番と曲名とが上から順に表示される。この図４では１曲だけ入力操作した状態を示し、ここではディスク番号２の６曲目であることを示す曲番表示「２−６」と、曲名「緑の地平線」とが１曲目の表示エリアに表示されている。そしてこの場合には、この予約曲表示と同時に、予約操作を促す表示として、「予約をどうぞ」と表示させるようにしてある。
【００３１】
この予約受付画面を表示すると、システムコントローラ２１での判断としては、ステップ１０１に戻って予約曲があるか否かの判断を行う。そして、予約曲がある場合には、予約された曲が再生できるスタンバイ状態にあるか否かの判断を行う（ステップ１０３）。即ち、本例のシステムでは曲の予約が行われると、システムコントローラ２１の制御で、この予約された曲が記録されたディスクを、何れかのディスク再生部１２に装填させると共に、装填されたディスクから該当する曲の記録箇所を探すサーチ動作を行う。そして、ステップ１０３では、次に再生させる曲のサーチ動作が完了したか否かを判断するもので、サーチ動作が完了していない場合には、サーチ中であることを示す表示画面を第２の中央制御装置４１の制御で作成させ、ＮＴＳＣ処理回路４５から出力させる（ステップ１０４）。このとき、切換スイッチ３０の可動接点３５は、第２の固定接点３２と接続された状態を維持させ、モニタ受像機５２にこのサーチ中の画面を表示させる。
【００３２】
このときに表示されるサーチ中の画面としては、例えば図５に示すように、予約表示画面と同様の９曲までの予約曲表示を行うと共に、サーチ中であることを告知する表示として、「演奏までしばらくおまちください。」と表示させるようにしている。なお、図５では５曲予約を行った状態を示す。
【００３３】
なお、本例ではディスク再生部１２が２台用意されているので、一方のディスク再生部１２で再生を行っている間に、他方のディスク再生部１２で次の予約曲の装填，サーチ動作が可能であり、このような場合には、サーチ中の画面表示が行われずに次のステップに進む。
【００３４】
そして、このサーチ中であることを示す画面を表示すると、システムコントローラ２１での判断としては、ステップ１０３に戻ってスタンバイ状態にあるか否かの判断を行う。そして、スタンバイ状態になったときには、スタンバイ状態であることを示す表示画面を第２の中央制御装置４１の制御で作成させ、ＮＴＳＣ処理回路４５から出力させる（ステップ１０５）。このとき、切換スイッチ３０の可動接点３５は、第２の固定接点３２と接続された状態を維持させ、モニタ受像機５２にこのスタンバイ状態の画面を表示させる。
【００３５】
このときに表示されるスタンバイ状態の画面としては、例えば図６に示すように、予約表示画面やサーチ中の画面と同様の９曲までの予約曲表示を行うと共に、スタンバイ状態であることを告知する表示として、「スタートキーを押して下さい。」と表示させるようにしている。
【００３６】
そして、この状態でシステムコントローラ２１は操作キー１の中のスタートキーが操作されたか否か判断し（ステップ１０６）、スタートキーが操作されるまでスタンバイ状態の表示を続けさせる。
【００３７】
そして、ステップ１０６でスタートキーが操作されたと判断した場合には、システムコントローラ２１はディスク再生部１２に装填されたディスク１１の該当する曲の再生を開始させ、この曲の再生データを第１の中央制御装置２９の制御に基づいて再生処理させて、再生して得られる音声信号を出力端子６Ｌ，６Ｒから出力させ、スピーカ５１Ｌ，５１Ｒから再生させると共に、再生して得られる動画の映像信号をＮＴＳＣ処理回路２７から出力させる。そして、このときには切換スイッチ３０の可動接点３５を、第１の固定接点３１に切換えさせ、出力端子７と接続されたモニタ受像機５２の画面に、ディスク１１から再生した動画の映像を表示させる（ステップ１０７）。
【００３８】
そして、このディスクからの音声及び映像の再生を行っている間には、システムコントローラ２１で、操作キー１の中のやり直しキーの操作があるか否か判断する（ステップ１０８）。そして、やり直しキーが操作されたと判断した場合には、再生する曲などの再入力を行うことを指示する表示画面を第２の中央制御装置４１の制御で作成させ、ＮＴＳＣ処理回路４５から出力させる（ステップ１０９）。このとき、切換スイッチ３０の可動接点３５は、第２の固定接点３２に切換えさせ、モニタ受像機５２にこの再入力を指示する画面を表示させる。
【００３９】
このときに表示される再入力を指示する画面としては、例えば図７に示すように、予約表示画面やサーチ中の画面と同様の９曲までの予約曲表示を行うと共に、再入力を指示する表示として、「もう一度入力して下さい。」と表示させるようにしている。但し、この場合の表示では、上から２番目の表示エリアが１番目の予約曲の表示となり（即ち左端の番号が２番目の表示エリアから１，２，３‥‥となる）、一番上に表示されている予約曲の表示エリアは再入力を行う曲の表示エリアとなっていて、再入力を行うまでは一旦再生させた曲が表示される。
【００４０】
そして、この状態で操作キー１により曲番の入力があったときには、一番上に表示されている曲名が、新たに入力された番号の曲に変わり、ステップ１０６に戻ってスタートキーが操作されたか否かの判断を行い、スタートキーが操作されることで、ステップ１０７に移って新たに入力された曲の再生に移る。
【００４１】
また、このように曲番を変更しないで、同じ曲を最初から再度再生させる場合もある。このような場合には、やり直しキーを操作して、再入力を指示する画面が表示された状態で、曲番の新たな入力操作をしないで、直接スタートキーを操作することで、同じ曲が最初から再度再生される。
【００４２】
そして次に、システムコントローラ２１では、曲が最後まで再生されたか否か判断し（ステップ１１０）、最後まで再生された場合にはステップ１０１に戻って、次の予約曲があるか否か判断し、スタートキーが操作されるまで対応した予約画面の表示（図４〜図６の何れか）を行う。
【００４３】
なお、映像信号出力端子８に別の予約表示専用のモニタ受像機を接続した場合には、切換スイッチ３０の状態にかかわらず、常時この予約表示専用のモニタ受像機に、図４〜図７に示す予約画面が表示される。
【００４４】
また本例の場合には、予約画面の表示を行う場合の一番上の予約曲の表示エリアの表示色を、図４〜図７に示す各予約画面で変えるようにしてある。この表示色の設定は、第２の中央制御装置４１の制御で行われる。
【００４５】
このようにしてモニタ受像機５２に表示される映像が、ディスク１１から再生した映像の表示と、予約画面の表示とに自動的に切換わることで、良好に予約画面を表示させることができる。即ち、ディスク１１から音声と映像の再生を行っていない状態（いわゆる曲間の状態）では、自動的に予約した曲名と曲番とが表示され、予約画面を呼び出すための操作を全くすることなく、予約状態を確認できる。そして、予約した曲の再生を行っている状態では、再生した映像だけが表示され、再生映像が予約曲の表示で見にくくなることが無い。
【００４６】
そして、この予約表示を行う場合に、予約受付中，サーチ中，スタンバイ状態，再入力指示などが文字で同時に表示されることで、現在の再生制御状態が表示画面より直ちに判り、カラオケ再生装置としての使い勝手が向上する。
【００４７】
なお、上述実施例では曲間の状態のときに、切換スイッチ３０の可動接点３５を第２の固定接点３２と接続させて、予約画面をモニタ受像機５２に表示させるようにしたが、この予約画面を表示させる必要のない場合（例えば予約画面は出力端子８に接続された別のモニタ受像機で判る場合）には、ディスク１１からの再生をしてない曲間のときに、可動接点３５を第３の固定接点３３又は第４の固定接点３４と接続させて、入力端子４に接続された別の映像信号源からの映像やビデオディスク再生装置５からの映像を、モニタ受像機５２に表示させるようにしても良い。このような設定は、例えばシステムコントローラ２１に曲間の表示モードを設定させることで可能である。
【００４８】
また、上述実施例では予約画面で表示される予約曲の情報として、曲名と曲番を表示させるようにしたが、より詳しい情報が得られる場合には、この詳しい情報（例えば作曲者名，作詞者名，歌手名，曲の先頭部分の歌詞など）を同時に表示させるようにしても良い。
【００４９】
また、上述実施例ではＭＰＥＧ１方式と称される記録システムを適用した光ディスク（ＣＤ−ＲＯＭ）による音声及び動画のカラオケ再生システムとしたが、他の記録方式や記録媒体によるカラオケ再生システムにも適用できる。例えば、音声と静止画像をディスクから再生させるカラオケ再生システムにも適用できる。さらに、カラオケ装置以外の音声及び映像再生システムにも適用できる。
【００５０】
さらにまた、本発明は上述した実施例に限らず本発明の要旨を逸脱することなく種々の構成が取り得ることは勿論である。
【００５１】
【発明の効果】
本発明によると、記憶媒体からの１単位の音声データ及び映像データの再生が終了したとき、切換手段で他の映像データを選択させることで、再生された映像が終了したとき、自動的に他の映像に切換わるようになり、適切に再生映像と他の映像との切換えが行われる。このため、例えばカラオケシステムに適用することで、記憶媒体（ディスク）からの１曲の音声と映像の再生が終了する毎に、曲名などの他の映像の表示に切換わり、自動的な映像の切換えが適切に行われるようになる。
【００５２】
この場合、記憶媒体からの次の１単位の音声データ及び映像データの再生が開始されたとき、切換手段で他の映像データを選択している状態から、再生手段から出力される映像データを選択させる状態に戻すことで、１曲の再生が終了してから次の曲の再生が始まるまでの曲間に、他の映像が表示されるようになり、再生される映像データの表示を全く邪魔しないで、別の映像が良好に表示されるようになる。
【００５３】
さらに、この場合の他の映像として、記憶媒体から再生させる曲名のデータなどの曲名表示映像データを表示させることで、再生される映像データの表示を全く邪魔しないで、再生される曲名などの映像が良好に表示されるようになる。
【００５４】
また本発明によれば、曲名表示映像データで、曲名表示と再生状態表示とを同一画面上で同時に表示されるので、モニタ受像機などで曲名表示を行うときに再生状態も判り、使い勝手が向上する。
【００５５】
また、それぞれの場合に、曲名表示映像データは、再生させることが予約された曲名のデータを含むようにしたことで、曲間などに予約された曲名が自動的に表示され、使い勝手が向上する。
【図面の簡単な説明】
【図１】本発明の一実施の形態による回路ブロックを示す構成図である。
【図２】本発明の一実施の形態による全体のシステム構成を示す斜視図である。
【図３】一実施の形態による表示切換を示すフロー図である。
【図４】一実施の形態による予約中の表示例を示す説明図である。
【図５】一実施の形態によるサーチ中の表示例を示す説明図である。
【図６】一実施の形態によるスタンバイ中の表示例を示す説明図である。
【図７】一実施の形態による再入力中の表示例を示す説明図である。
【符号の説明】
６Ｌ，６Ｒ  音声信号出力端子、７，８  映像信号出力端子、１０  オートチェンジャ、１１  光ディスク、１２  ＣＤ再生部、２１  システムコントローラ、２９  第１の中央制御装置、３０  出力映像切換スイッチ、４１  第２の中央制御装置、４２  ＲＯＭ、４３  ＲＡＭ
【図１】
0003703696.tif 000002
【図２】
0003703696.tif 000003
【図３】
0003703696.tif 000004
【図４】
0003703696.tif 000005
【図５】
0003703696.tif 000006
【図６】
0003703696.tif 000007
【図７】
0003703696.tif 000008